(57)【要約】【課題】防犯機能を高めることができる錠装置を提供すること。【解決手段】錠装置１は、扉１０を施錠及び解錠可能な錠部２と、人の存在を検知する人感検知部４と、錠部２が施錠状態にある場合において、人感検知部４が人を検知してから所定の設定時間ｔａ以上経過後に錠部２が解錠された場合に、瞬間的に、扉１０を施錠するように制御する制御部７１と、を備える。また、錠装置１Ａは、扉１０を施錠及び解錠可能な第１錠部２及び第２錠部３と、人の存在を検知する人感検知部４と、第１錠部２及び第２錠部３が施錠状態にある場合において、人感検知部４が人を検知してから所定の設定時間ｔａ以上経過後に第１錠部２が解錠された場合に、第１錠部２が解錠されてから所定の待機時間ｔｂ経過後に、扉１０を施錠するように制御する制御部７１Ａと、を備える。【選択図】図２
2020159029.tif 000002
【特許請求の範囲】
【請求項１】
扉を施錠及び解錠可能な錠部と、
人の存在を検知する人感検知部と、
前記錠部が施錠状態にある場合において、前記人感検知部が人を検知してから所定の設定時間以上経過後に前記錠部が解錠された場合に、瞬間的に、前記扉を施錠するように制御する制御部と、を備える錠装置。
【請求項２】
扉を施錠及び解錠可能な第１錠部及び第２錠部と、
人の存在を検知する人感検知部と、
前記第１錠部及び前記第２錠部が施錠状態にある場合において、前記人感検知部が人を検知してから所定の設定時間以上経過後に前記第１錠部が解錠された場合に、前記第１錠部が解錠されてから所定の待機時間経過後に、前記扉を施錠するように制御する制御部と、を備える錠装置。
【発明の詳細な説明】
【技術分野】
【０００１】
本発明は、錠装置に関する。
【背景技術】
【０００２】
従来、錠装置に関して、ピッキングやサムターン回しなどの意図しない解錠に対して、防犯機能の一つとして、２つの錠部を備えた電気錠において、第１の錠部が解錠した後に、第２の錠部が所定時間解錠しない場合に、第１の錠部を施錠する技術が知られている（例えば、特許文献１参照）。
【先行技術文献】
【特許文献】
【０００３】
【特許文献１】特許第３９３７８６７号公報
【発明の概要】
【発明が解決しようとする課題】
【０００４】
ピッキングやサムターン回しなどの意図しない解錠に対して、錠装置の防犯機能を更に高めることが望まれている。
【０００５】
本発明は、防犯機能を高めることができる錠装置を提供すること目的とする。
【課題を解決するための手段】
【０００６】
本発明は、扉（例えば、後述のドア１０）を施錠及び解錠可能な錠部（例えば、後述の第１錠部２）と、人の存在を検知する人感検知部（例えば、後述の人感検知センサ４）と、前記錠部が施錠状態にある場合において、前記人感検知部が人を検知してから所定の設定時間以上経過後に前記錠部が解錠された場合に、瞬間的に、前記扉を施錠するように制御する制御部（例えば、後述の制御部７１）と、を備える錠装置（例えば、後述の錠装置１）に関する。
【０００７】
また、本発明は、扉を施錠及び解錠可能な第１錠部及び第２錠部（例えば、後述の第２錠部３）と、人の存在を検知する人感検知部と、前記第１錠部及び前記第２錠部が施錠状態にある場合において、前記人感検知部が人を検知してから所定の設定時間以上経過後に前記第１錠部が解錠された場合に、前記第１錠部が解錠されてから所定の待機時間経過後に、前記扉を施錠するように制御する制御部（例えば、後述の制御部７１Ａ）と、を備える錠装置（例えば、後述の錠装置１Ａ）に関する。
【発明の効果】
【０００８】
本発明によれば、防犯機能を高めることができる錠装置を提供することができる。
【図面の簡単な説明】
【０００９】
【図１】第１実施形態の錠装置を示す図である。
【図２】第１実施形態の錠装置の動作を示すフローチャートである。
【図３】第２実施形態の錠装置を示す図である。
【図４】第２実施形態の錠装置の動作を示すフローチャートである。
【発明を実施するための形態】
【００１０】
＜第１実施形態＞
以下、本発明の第１実施形態について、図面を参照しながら詳しく説明する。
図１は、第１実施形態の錠装置１を示す図である。
第１実施形態の錠装置１は、図１に示すように、ドア１０（扉）を施錠及び解錠可能な第１錠部２（錠部）と、人感検知センサ４（人感検知部）と、屋内側操作部５と、屋外側操作部６と、制御ユニット７と、を備える。第１錠部２、人感検知センサ４、屋内側操作部５及び屋外側操作部６は、ドア１０に配置される。第１実施形態においては、錠装置１には、１つの錠部（第１錠部２）のみ設けられている。
なお、人感検知センサ４、屋内側操作部５、屋外側操作部６及び制御ユニット７は、ドア１０に配置されていなくてもよく、例えば、ドア１０の周辺の壁や天井、親子ドアの場合などは子ドア等に配置されていてもよい。
【００１１】
第１錠部２は、ドア１０において、屋内側ハンドル１１及び屋外側ハンドル１２の上方側に配置される。第１錠部２は、第１シリンダー２１と、第１電動サムターン２２と、第１デッドボルト２３と、第１施解錠検知センサ２４と、を有する。
第１錠部２は、ドア枠（図示せず）に設けられた係合部（図示せず）に第１デッドボルト２３が係合する係合位置又は係合しない非係合位置に移動されることで、ドア１０を施錠及び解錠可能である。
【００１２】
第１電動サムターン２２は、ドア１０の屋内側に配置される。第１電動サムターン２２は、ドア１０が解錠状態及び施錠状態になるように、後述する制御部７１により制御される。第１電動サムターン２２は、後述する制御部７１からの解錠信号又は施錠信号を受信することで、第１デッドボルト２３を係合位置又は非係合位置に移動させることができる。
【００１３】
第１シリンダー２１は、第１電動サムターン２２に対してドア１０を挟んだ反対側に配置され、伝達軸２５を介して、第１電動サムターン２２に接続されている。第１シリンダー２１は、鍵穴２１１を有する。使用者は、第１シリンダー２１の鍵穴２１１にシリンダー鍵１１０を差し込んで回転させることで、シリンダー鍵１１０を用いた機械的な動作により、第１デッドボルト２３を係合位置又は非係合位置に移動させることができる。
【００１４】
第１施解錠検知センサ２４は、第１錠部２が、施錠状態にあるか、解錠状態にあるかを検知する。第１施解錠検知センサ２４により検知された施解錠検知信号は、制御ユニット７に送信される。
【００１５】
人感検知センサ４は、ドア１０の前に立った人の存在を検知する。人感検知センサ４は、例えば、ドア１０の屋外側の前面の上方側に配置されている。人感検知センサ４が人を検知した場合に出力される検知信号は、制御部７１に送信される。
【００１６】
屋内側操作部５は、屋内アンテナ５１と、屋内側施解錠スイッチ５２と、を有する。屋内アンテナ５１は、屋内側の所定領域に、電子鍵１００が存在する場合に、電子鍵１００から送信されるキー情報を受信して、電子鍵１００の存在を検知する。屋内側施解錠スイッチ５２は、屋内側から、ドア１０を施解錠することが可能なスイッチである。
【００１７】
屋外側操作部６は、屋外アンテナ６１と、屋外側施解錠スイッチ６２と、を有する。屋外アンテナ６１は、屋外側の所定領域に、電子鍵１００が存在する場合に、電子鍵１００から送信されるキー情報を受信して、電子鍵１００の存在を検知する。屋外側施解錠スイッチ６２は、屋外アンテナ６１により電子鍵１００が屋外側の所定領域に存在することが受信された状態において、屋外側から、ドア１０を施解錠することが可能なスイッチである。
【００１８】
制御ユニット７は、制御部７１を有する。制御部７１は、ドア１０の施解錠を制御する。制御部７１は、第１錠部２が施錠状態にある場合において、人感検知センサ４が人を検知してから所定の設定解錠時間ｔａ（設定時間）以上経過後にシリンダー鍵１１０により第１錠部２が解錠された場合に、瞬間的に、第１錠部２によりドア１０を施錠するように制御する。
【００１９】
設定解錠時間ｔａとしては、使用者が通常の解錠を行う時間を確保した上で不審な解錠を防止する必要があるため、例えば、使用者が第１錠部２をシリンダー鍵１１０により解錠可能な時間であって、ピッキングやサムターン回しなどにより第１錠部２を解錠可能な時間よりも短い時間が設定される。本実施形態においては、設定解錠時間ｔａは、例えば、１０秒〜３０秒であることが好ましく、例えば、３０秒に設定することができる。
【００２０】
また、「瞬間的に」とは、第１錠部２が１つの錠部のみである場合には、不審な解錠が行われた場合に直ぐに施錠する必要があるため、第１錠部２が解錠された直後であることを意味し、例えば、１．０秒以下であることが好ましく、例えば、０．５秒以下に設定することができる。言い換えると、「瞬間的に」とは、第１錠部２が解錠されてからドア１０が開く前までにドア１０が施錠されればよいため、第１錠部２が解錠されてから人がドア１０を開けることが可能な時間よりも短い時間を意味する。
【００２１】
また、制御部７１は、屋外アンテナ６１により受信された電子鍵１００のキーコードと予め記憶されている登録コードとが一致する場合に、錠装置１に対応する電子鍵１００が存在することを検知する。この状態において、制御部７１は、屋外側施解錠スイッチ６２が押された場合や、電子鍵１００から出力される解錠指示信号を屋外アンテナ６１により受信した場合に、第１電動サムターン２２に解錠信号を出力する。これにより、第１電動サムターン２２が駆動されて、第１錠部２は解錠される。
【００２２】
次に、本発明に係る第１実施形態の錠装置１の動作について説明する。図２は、第１実施形態の錠装置１の動作を示すフローチャートである。
【００２３】
ステップＳ１１において、制御部７１は、屋外アンテナ６１により受信された電子鍵１００のキーコードと予め記憶されている登録コードとが一致するかを判定することで、錠装置１に対応する電子鍵１００を検知したか否かを判定する。電子鍵１００を検知しない場合（ＮＯ）には、処理は、ステップＳ１２に進む。電子鍵１００を検知した場合（ＹＥＳ）には、処理は終了し、制御部７１は、屋外側施解錠スイッチ６２が押された場合や電子鍵１００から出力される解錠指示信号を受信した場合に、第１電動サムターン２２に解錠信号を出力する。これにより、第１電動サムターン２２が駆動されて、第１錠部２は解錠される。
【００２４】
ステップＳ１２において、制御部７１は、人感検知センサ４が人を検知したか否かを判定する。人感検知センサ４が人を検知した場合（ＹＥＳ）には、処理は、ステップＳ１３に進む。人感検知センサ４が人を検知しない場合（ＮＯ）には、処理は終了する。
【００２５】
ステップＳ１３において、制御部７１は、人感検知センサ４が人を検知した時点から、第１錠部２が解錠するまでの解錠時間ｔ１のカウントをスタートする。
【００２６】
ステップＳ１４において、制御部７１は、第１施解錠検知センサ２４により、第１錠部２が解錠したか否かを判定する。第１錠部２が解錠したと判定された場合（ＹＥＳ）には、処理はステップＳ１５に進む。第１錠部２が解錠したと判定されない場合（ＮＯ）には、処理はステップＳ１４を繰り返す。
【００２７】
ステップＳ１５において、制御部７１は、第１錠部２が解錠したため、解錠時間ｔ１のカウントをストップする。
【００２８】
ステップＳ１６において、制御部７１は、解錠時間ｔ１が、設定解錠時間ｔａ以上（ｔ１≧ｔａ）であるか否かを判定する。解錠時間ｔ１が設定解錠時間ｔａ以上（ｔ１≧ｔａ）である場合（ＹＥＳ）には、処理は、ステップＳ１７に進む。解錠時間ｔ１が設定解錠時間ｔａ未満（ｔ１＜ｔａ）である場合（ＮＯ）には、処理は終了する。設定解錠時間ｔａとしては、使用者が通常の解錠を行う時間を確保した上で不審な解錠を防止する必要があるため、設定解錠時間ｔａは、例えば、１０秒〜３０秒であることが好ましく、例えば、３０秒に設定することができる。
【００２９】
ステップＳ１７において、制御部７１は、瞬間的に、第１錠部２によりドア１０を施錠するように制御する。「瞬間的に」とは、第１錠部２が１つの錠部のみである場合には、不審な解錠が行われた場合に直ぐに施錠する必要があるため、第１錠部２が解錠された直後であることを意味し、例えば、１．０秒以下であることが好ましく、例えば、０．５秒以下に設定することができる。
ステップＳ１７の後に、処理は終了する。
【００３０】
以上の構成を備える第１実施形態の錠装置１によれば、以下の効果が奏される。
本実施形態の錠装置１は、ドア１０を施錠及び解錠可能な第１錠部２と、人感検知センサ４と、第１錠部２が施錠状態にある場合において、人感検知センサ４が人を検知してから所定の設定解錠時間ｔａ以上経過後に第１錠部２が解錠された場合に、瞬間的に、第１錠部２によりドア１０を施錠するように制御する制御部７１と、を備える。これにより、第１錠部２によりドア１０を解錠する時間を確保した上で、防犯機能を高めることができる。
【００３１】
＜第２実施形態＞
次に、本発明の第２実施形態について説明する。図３は、第２実施形態の錠装置１Ａを示す図である。第２実施形態においては、第１実施形態と比べて、前記第１実施形態の第１錠部２に加えて、第２錠部３を備えると共に、制御部７１Ａにおける制御が異なる。
なお、第２実施形態の説明において、第１実施形態と共通する構成については同一の符号を用いる。また、特に説明しない点に構成については、第２実施形態の構成は、第１実施形態の構成と同様である。
【００３２】
第２実施形態の錠装置１Ａは、図３に示すように、ドア１０（扉）を施錠及び解錠可能な第１錠部２と、ドア１０（扉）を施錠及び解錠可能な第２錠部３と、人感検知センサ４と、屋内側操作部５と、屋外側操作部６と、制御ユニット７Ａと、を備える。
第２実施形態においては、錠装置１Ａは、第１実施形態の第１錠部２に加えて、第２錠部３を備えることで、２つの錠部を備える。第２実施形態においては、錠装置１Ａには、２つの錠部（第１錠部２、第２錠部３）が設けられている。
【００３３】
第２錠部３は、ドア１０（扉）を施錠及び解錠可能である。第２錠部３は、ドア１０に設けられ、例えば、第１錠部２よりも下方側に配置される。
第２錠部３は、ドア１０において、屋内側ハンドル１１及び屋外側ハンドル１２の下方側に配置される。第２錠部３は、第２シリンダー３１と、第２電動サムターン３２と、第２デッドボルト３３と、第２施解錠検知センサ３４と、を有する。
第２錠部３は、ドア枠（図示せず）に設けられた係合部（図示せず）に第２デッドボルト３３が係合する係合位置又は係合しない非係合位置に移動されることで、ドア１０を施錠及び解錠可能である。
【００３４】
第２電動サムターン３２は、ドア１０の屋内側に配置される。第２電動サムターン３２は、ドア１０が解錠状態及び施錠状態になるように、後述する制御部７１Ａにより制御される。第２電動サムターン３２は、後述する制御部７１Ａからの解錠信号又は施錠信号を受信することで、第２デッドボルト３３を係合位置又は非係合位置に移動させる。
【００３５】
第２シリンダー３１は、第２電動サムターン３２に対してドア１０を挟んだ反対側に配置され、伝達軸３５を介して、第２電動サムターン３２に接続されている。第２シリンダー３１は、鍵穴３１１を有する。使用者は、第２シリンダー３１の鍵穴３１１にシリンダー鍵１１０を差し込んで回転させることで、シリンダー鍵１１０を用いた機械的な動作により、第２デッドボルト３３を係合位置又は非係合位置に移動させることができる。
【００３６】
第２施解錠検知センサ３４は、第２錠部３が、施錠状態にあるか、解錠状態にあるかを検知する。第２施解錠検知センサ３４により検知された施解錠検知信号は、制御ユニット７Ａに送信される。
【００３７】
制御部７１Ａは、第１錠部２及び第２錠部３が施錠状態にある場合において、人感検知センサ４が人を検知してから所定の設定解錠時間ｔａ（設定時間）以上経過後にシリンダー鍵１１０により第１錠部２が解錠された場合に、第１錠部２が解錠されてから待機時間ｔｂ後に、第１錠部２によりドア１０を施錠するように制御する。
【００３８】
設定解錠時間ｔａとしては、第１実施形態と同様に、使用者が通常の解錠を行う時間を確保した上で不審な解錠を防止する必要があるため、例えば、使用者が第１錠部２をシリンダー鍵１１０により解錠可能な時間であって、ピッキングやサムターン回しなどにより第１錠部２を解錠可能な時間よりも短い時間が設定される。本実施形態においては、設定解錠時間ｔａは、例えば、１０秒〜３０秒であることが好ましく、例えば、３０秒に設定することができる。
【００３９】
ここで、第２実施形態では、第１錠部２及び第２錠部３の２つの錠部を備えているため、第１錠部２が解錠されても、第２錠部３が施錠されている状態においてはドア１０を開けることができない。そのため、待機時間ｔｂは、第１錠部２が解錠された後に、使用者が第２錠部３をシリンダー鍵１１０により施錠可能な時間だけ待機する時間である。
待機時間ｔｂは、第１錠部２が解錠されてから、使用者が第２錠部３をシリンダー鍵１１０により解錠可能な時間であって、ピッキングやサムターン回しなどにより第２錠部３を解錠可能な時間よりも短い時間が設定される。本実施形態においては、待機時間ｔｂは、例えば、１０秒〜３０秒であることが好ましく、例えば、３０秒に設定することができる。
【００４０】
次に、本発明に係る第２実施形態の錠装置１Ａの動作について説明する。図４は、第２実施形態の錠装置１Ａの動作を示すフローチャートである。
第２実施形態の錠装置１Ａにおいては、第１実施形態の錠装置１と比べて、第１錠部２及び第２錠部３の２つの錠部を備える点と、制御部７１Ａの制御の点が主に異なるが、第２実施形態の動作のステップＳ２１〜Ｓ２６の動作は、第１実施形態の動作のステップＳ１１〜Ｓ１６の動作と同様である。
そのため、第２実施形態の動作のステップＳ２１〜Ｓ２６の説明は、第１実施形態の動作のステップＳ１１〜Ｓ１７の説明を援用して、その説明を省略する。第２実施形態の動作については、第１実施形態の動作とは異なるステップＳ２７のみ説明する。
【００４１】
ステップＳ２７において、制御部７１Ａは、第１錠部２が解錠されてから待機時間ｔｂ後に、第１錠部２によりドア１０を施錠するように制御する。なお、ドア１０の施錠は、第１錠部２による施錠に限定されず、第２錠部３による施錠でもよいし、第１錠部２及び第２錠部３の同時の施錠でもよい。待機時間ｔｂは、第１錠部２が解錠されてから、使用者が第２錠部３をシリンダー鍵１１０により解錠可能な時間であって、ピッキングやサムターン回しなどにより第２錠部３を解錠可能な時間よりも短い時間が設定される。本実施形態においては、待機時間ｔｂは、例えば、１０秒〜３０秒であることが好ましく、例えば、３０秒に設定することができる。
ステップＳ２７の後に、処理は終了する。
【００４２】
以上の構成を備える第２実施形態の錠装置１Ａによれば、以下の効果が奏される。
本実施形態の錠装置１Ａは、ドア１０を施錠及び解錠可能な第１錠部２及び第２錠部３と、人感検知センサ４と、第１錠部２及び第２錠部３が施錠状態にある場合において、人感検知センサ４が人を検知してから所定の設定解錠時間ｔａ以上経過後に第１錠部２が解錠された場合に、第１錠部２が解錠されてから所定の待機時間ｔｂ経過後に、第１錠部２によりドア１０を施錠するように制御する制御部７１Ａと、を備える。これにより、第１錠部２が所定の設定解錠時間ｔａ以上経過後に解錠された場合においても、第２錠部３が所定の待機時間ｔｂまでに解錠された場合には、第１錠部２及び第２錠部３を解錠することできる。これにより、第１錠部２及び第２錠部３を解錠する時間を確保した上で、防犯機能を高めることができる。
【００４３】
なお、本発明は上記実施形態に限定されるものではなく、本発明の目的を達成できる範囲での変形、改良等は本発明に含まれる。
例えば、上記第１実施形態では、錠部を１つ（第１錠部２）備える構成とし、上記第２実施形態では、錠部を２つ（第１錠部２及び第２錠部３）備える構成としたが、これに限定されず、３つ以上の錠部を備えて構成してもよい。
【００４４】
また、錠部を２つ以上備える構成において、制御部７１は、人感検知センサが人を検知してから所定の設定解錠時間以上経過後にいずれか１つの錠部が解錠された場合に、瞬間的に、ドア１０を施錠するように制御してもよい、また、制御部７１は、例えば、人感検知センサが人を検知してから所定の設定解錠時間以上経過後に、２つ以上の錠部のうち、全部の錠部が解除された場合に、瞬間的に、ドア１０を施錠するように制御してもよい。
【００４５】
また、上記第１実施形態では、第１錠部２を上方側に配置し、第２錠部３を下方側に配置したが、配置する位置は、これに限定されない。これとは逆に、第１錠部２を下方側に配置し、第２錠部３を上方側に配置してもよい。
【００４６】
また、上記実施形態では、人感検知部４が人を検知してから所定の設定解錠時間以上経過後に第１錠部２が解錠された場合に、第１錠部２によりドア１０を施錠するように構成したが、これに限定されない。ドア１０の施錠は、解除された第１錠部２による施錠に限定されず、別の施錠機構による施錠でもよい。
【符号の説明】
【００４７】
１、１Ａ  錠装置
２  第１錠部（錠部）
３  第２錠部
４  人感検知センサ（人感検知部）
７１、７１Ａ  制御部
１０  ドア（扉）
【図１】
2020159029.tif 000003
【図２】
2020159029.tif 000004
【図３】
2020159029.tif 000005
【図４】
2020159029.tif 000006